(57)【特許請求の範囲】
【請求項１】
液晶層を狭持する一対の基板のうちの一方に共通電極と画素電極とが絶縁状態で配置され、
前記画素電極は、平行に配列された複数の電極部を備え、当該各電極部が延設方向の略中央部で屈曲する平面形状を有すると共に、当該屈曲部分において前記各電極部を接続するブリッジ部を備え、
前記ブリッジ部は、前記電極部の縁部と当該ブリッジ部の縁部とで囲まれた空間部分の内角が略垂直を成す平面形状に成型されている
表示装置。
【請求項２】
前記画素電極は、前記各電極部の端部を接続する端縁ブリッジ部を備え、
前記端縁ブリッジ部は、前記電極部の縁部と当該端縁ブリッジ部の縁部とで囲まれた空間部分の内角が略垂直を成す平面形状に成型されている
請求項１記載の表示装置。
【請求項３】
前記電極部と前記ブリッジ部と前記端縁ブリッジ部とで囲まれた空間部分は、略矩形の平面形状で構成されている
請求項２記載の表示装置。
【請求項４】
前記ブリッジ部に重ねて遮光パターンが設けられている
請求項１〜３の何れかに記載の表示装置。
【請求項５】
前記画素電極は、前記共通電極の前記液晶層側に絶縁膜を介して積層されている
請求項１〜４の何れかに記載の表示装置。
【請求項６】
前記画素電極が配列形成された表示領域に、センサー部が設けられている
請求項1〜５の何れかに記載の表示装置。
【発明の詳細な説明】
【技術分野】
【０００１】
本発明は、表示装置に関し、特には、横電界モードで液晶分子を駆動する表示装置に関する。
【背景技術】
【０００２】
横電界モードの液晶表示装置は、広視野角、高コントラストを実現する液晶モードとして注目されている。このうち特に、フリンジフィールドスイッチング（Fringe field switching：ＦＦＳ）モードは、インプレーンスイッチング（In-Plane-Switching：ＩＰＳ）モードと比較して、開口率および透過率の改善が図られている。
【０００３】
図１１は、ＦＦＳモードの液晶表示装置の一例を示す要部平面図である。この図に示すように、ＦＦＳモードの液晶表示装置においては、駆動側の基板２０１上に、複数の走査線２０３および信号線２０５が行列状に配線され、これらの各交差部に画素電極２０９が設けられている。各画素電極２０９は、信号線２０５（または走査線２０３）に沿って複数の電極部２０９ａを延設させた櫛歯状にパターニングされている。
【０００４】
またここでの図示は省略したが、基板２０１上における画素電極２０９の下方には、絶縁膜によって画素電極２０９に対して絶縁された状態で共通電極が設けられている。この共通電極は、例えば走査線と同一層または、走査線および信号線よりも上層に設けられており、少なくとも画素ａ内における全面に設けられている。
【０００５】
以上のような構成のＦＦＳモードの液晶表示装置において、さらなる視野角特性の向上を目的とした場合、液晶分子ｍを分割配向させるマルチドメイン構造とすることが有利である。この場合、図１１に示したように、電極部２０９ａを延設方向の中央部において異なる方向に屈曲させ、各画素ａ内を、電極部２０９ａが異なる方向に延設された２つの領域に分割する。光学特性的には領域境界部を対称軸として鏡面対象を有することが望ましい。これにより、１つの画素ａ内を分割した２つの領域において、液晶分子ｍが異なる回転方向に駆動され、中間調、もしくは白表示時の視野角特性（カラーシフト）が改善される（例えば、下記特許文献１参照）。
【０００６】
【特許文献１】米国特許ＵＳ６８０９７８９
【発明の開示】
【発明が解決しようとする課題】
【０００７】
しかしながら、以上のようなＦＦＳマルチドメイン構造の表示装置においては、確かに視野角特性が改善されたが、次のような新たな不具合が発見された。
【０００８】
すなわち、画素電極および共通電極に電圧を印加して白を表示した状態において、表示装置の表示面に外部圧力（指押し等）を加えると、画素内で液晶分子が電界方向と逆方向に回転する、いわゆるリバースツイスト現象が発生する。このリバースツイスト現象は、表示ムラ（以後、指押しムラと称する）を引き起こす要因となり、自然放置では元に戻らないことが分かった。
【０００９】
そこで本発明は、横電界マルチドメイン構造において、指押しムラを自然放置で消失させることが可能な液晶表示装置を提供することを目的とする。
【課題を解決するための手段】
【００１０】
このような目的を達成するための本発明の表示装置は、液晶層を狭持する一対の基板のうちの一方に、共通電極と画素電極とが絶縁状態で配置された表示装置において、画素電極は、平行に配列された複数の電極部を備えている。各電極部は、延設方向の略中央部で屈曲させた平面形状を有する。そして特に、各画素電極は、各電極部を屈曲させた部分において当該各電極部を接続するブリッジ部を備えていることを特徴としている。
【００１１】
このような構成の表示装置は、平行に配列された複数の電極部を備えた横電界モードの表示装置であり、さらに各電極部が延設方向の略中央部で屈曲させた平面形状を有していることにより、液晶分子が異なる回転方向に駆動されるマルチドメイン構造である。このような構成において、特に、各電極部を屈曲させた部分において当該各電極部を接続するブリッジ部を備えていることにより、以降の実施形態で説明するように、画素電極および共通電極に電圧を印加して液晶層を配向させた状態において、表示装置の表示面に外部圧力（指押し等）を加えてリバースツイスト現象が発生させた場合であっても、自然放置によって液晶層の配向状態が元に戻り、リバースツイスト現象による表示ムラが解消させることが判った。
【発明の効果】
【００１２】
以上説明したように本発明によれば、横電界マルチドメイン構造の液晶表示装置において、リバースツイスト現象による表示ムラを自然放置で解消することが可能になり、液晶表示装置における表示特性の向上を図ることが可能になる。特に、タッチパネル機能を備えた液晶表示装置においては、表示装置の表示面に外部圧力（指押し等）が加わるため、本発明を適用することにより、外部圧力による影響が低く抑えられた表示を持続させることが可能になる。
【発明を実施するための最良の形態】
【００１３】
以下、本発明の実施の形態を図面に基づいて説明する。
【００１４】
＜第１実施形態＞
図１は第１実施形態の表示装置の構成を説明する３画素分の駆動基板側の平面模式図であり、図２は図１におけるＡ−Ａ’断面に対応する断面図である。尚、平面模式図においては、絶縁膜や配向膜等の図示を省略している。
【００１５】
これらの図に示す表示装置１ａは、ＦＦＳマルチドメイン構造の液晶表示装置であり、可視光に対して光透過性を有する駆動側の基板３上の第１層目に、複数の走査線５が水平方向に配線されている。また、これらの走査線５を覆う状態で、基板３上にはゲート絶縁膜７が設けられている。
【００１６】
ゲート絶縁膜７上には、走査線５に重なる位置に半導体層９がパターン形成されている。また、ゲート絶縁膜７上には、複数の信号線１１が、走査線５と交差する垂直方向に配線されており、これらの走査線５および信号線１１の各交差部に対応して画素ａが設定されている。先の半導体層９は、各画素ａ毎にパターン形成されていることとする。
【００１７】
ゲート絶縁膜７上の各画素ａでは、走査線５を挟む両側において半導体層９の両端上に積層されたソース／ドレイン電極１１ｓｄが設けられ、走査線５をゲート電極とした薄膜トランジスタＴｒが構成されている。
【００１８】
これらのソース／ドレイン１１ｓｄは、信号線１１と同一層で構成され、一方のソース／ドレイン１１ｓｄが信号線１１から延設されていることとする。
【００１９】
また、このような薄膜トランジスタＴｒを覆う状態で、ゲート絶縁膜７上には層間絶縁膜１３が設けられている。この層間絶縁膜１３は、下層の信号線１１およびソース／ドレイン１１ｓｄと、上層との絶縁性を確実に図ることが可能な膜厚を備えていることとする。
【００２０】
この層間絶縁膜１３上には、各画素ａに共通のベタ膜状に透明導電性材料（例えばＩＴＯ、ＩＺＯ等の）からなる共通電極１５が設けられている。このように、走査線５および信号線１１に対して、厚い層間絶縁膜１３を介して共通電極１５を配置することにより、走査線５および信号線１１の負荷容量の増大を回避する構成としている。しかも共通電極１５をベタ膜状としたことにより、画素の開口率の向上が見込まれる構成となっている。ただし、共通電極１５には、各画素ａにおけるソース／ドレイン電極１１ｓｄのうち、信号線１１と接続されていない側のソース／ドレイン電極１１ｓｄの上部を露出する開口部１５ａが設けられていることとする。
【００２１】
そして、このような共通電極１５上の各画素ａに、絶縁膜１７を介して本発明に特徴的な構成の画素電極１９が設けられている。この画素電極１９は、透明導電性材料（例えばＩＴＯ、ＩＺＯ等の）からなり、共通電極１５の開口部１５ａ内において絶縁膜１７および層間絶縁膜１３に設けた接続孔１７ａを介して、ソース／ドレイン電極１１ｓｄに接続されていることとする。
【００２２】
これにより、走査線５に入力する電気信号によって薄膜トランジスタＴｒが選択され、選択された薄膜トランジスタＴｒを介して信号線１１から書き込まれた映像信号が画素電極１９に供給される構成となっている。
【００２３】
各画素電極１９は、いわゆる櫛歯状の画素電極であり、信号線１１に沿って平行に延設された複数の電極部１９ａを有している。また、この表示装置１ａは、マルチドメイン構造であり、各電極部１９ａは延設方向の中央部において異なる方向に屈曲された平面形状を有しており、各画素ａ内が電極部１９ａを異なる方向に延設させた２つの領域に分割されていることとする。そして、各電極部１９ａの屈曲部をつないだ境界を走査線５に平行な対称軸φとし、２つの領域において異なる方向に延設された電極部１９ａが鏡面対称構造を有していることが望ましい。また、走査線５と垂直な方向線ｘに対して各電極部１９ａの成す角度θ１、θ２が、略同一であることが好ましく、例えばθ１＝θ２＝０．５°〜４５°、好ましくはθ１＝θ２＝２°〜３０°の範囲であることとする。
【００２４】
そして特に本第１実施形態において特徴的な構成として、画素電極１９には、電極部１９ａの屈曲部分に各電極部１９ａを接続する中央ブリッジ部１９ｂが設けられている。この中央ブリッジ部１９ｂは、所定幅でパターニングされた状態で走査線５と平行に配線されており、画素電極１９を構成する各電極部１９ａの全てを接続する状態で設けられていることとする。
【００２５】
また、この画素電極１９には、電極部１９ａの延設方向の両端部分に、各電極部１９ａを接続する端縁ブリッジ部１９ｃが設けていても良い。この端縁ブリッジ部１９ｃは、所定幅でパターニングされた状態で走査線５と平行に配線されており、画素電極１９を構成する各電極部１９ａの全てを接続する状態で設けられていることとする。
【００２６】
尚、信号線１１は、図示したように電極部１９ａに合わせて屈曲されていることが、開口率向上の上では好ましい。ただし、開口率に付いて問題にしない場合には、信号線１１の一部が画素電極１９と重なるように直線的に配線されていても良い。
【００２７】
そして以上のような画素電極１９が設けられた基板３上に、断面図のみに図示した配向膜２１が設けられ、駆動側の基板３の上部が構成されている。
【００２８】
一方、以上のような駆動側の基板３における画素電極１９の形成面側には、断面図のみに図示した対向基板３１が設けられている。この対向基板３１は、光透過性材料からなり画素電極１９に向かう面上には、各色カラーフィルタが画素毎にパターン形成されたカラーフィルタ層３３が設けられ、このカラーフィルタ層３３を覆う状態で配向膜３５が設けられている。そして、二つの基板の配向膜２１−３５間に、スペーサ（図示省略）と共に液晶層ＬＣが挟持されている。
【００２９】
そして、基板３，３１の外側には、偏光板４１，４３を配置して表示装置１ａが構成されている。
【００３０】
このような表示装置１ａにおける光学構成は、次のようである。
【００３１】
すなわち、液晶層ＬＣを構成する液晶分子ｍは、正または負の誘電異方性を有しており、ここでは一例として正の誘電異方性を有していることとする。そして、共通電極１５および画素電極１９への電界無印加時に、液晶分子ｍが走査線５に対して略垂直となるように配向膜２１および配向膜３５は、配向処理方向（例えばラビング方向）が、走査線５に対して略垂直になるように設けられている。
【００３２】
そして、基板３，３１の外側に設けられる２枚の偏光板４１，４３は、クロスニコルに配置され、そのうちの一方の透過軸を配向膜２１，３５の配向方向と一致させるように設けられていることとする。ここでは一例として、出射側（表示側）となる対向基板３１側の偏向板４３の透過軸を配向膜２１,３５の配向方向と一致させた状態を示している。
【００３３】
尚、ここでの図示は省略したが、この表示装置１ａがタッチパネル機能を備えている場合、各画素ａに対応して受光センサが設けられていたることとする。尚、表示面の全面に感圧センサが設けられていても良い。
【００３４】
以上のような構成の表示装置１ａは、一般的なＦＦＳマルチドメイン構造の液晶表示装置の動作と同様に動作する。
【００３５】
すなわち、共通電極１５−画素電極１９間に電圧を印加していない状態では、液晶層ＬＣを構成する液晶分子ｍの軸が入射側の偏光板４１の透過軸に対して垂直に、出射側の偏光板４３の透過軸に対して平行に配向する。このため、入射側の偏光板４１から入射した光は、液晶層ＬＣにおいて位相差を生じることなく出射側の偏光板４３に達し、ここで吸収されて黒表示(つまりノーマリーブラック表示）となる。
【００３６】
一方、共通電極１５−画素電極１９間に電圧を印加して電位差を与えた状態では、基板３に対して平行で、画素電極１９の電極部１９ａの延設方向に対して垂直な横電界が発生し、液晶分子ｍの配向方向が基板３と平行な面内において回転する。これにより、入射側の偏光板４１から入射した光が、液晶層ＬＣで光変調されて９０°回転した直線偏光となり、出射側の偏光板４３を透過して白表示となる。
【００３７】
また、このような白表示においては、１つの画素ａ内において電極部１９ａが異なる方向に延設される各領域において、液晶分子ｍが異なる回転方向に駆動されるマルチドメイン構造となっている。これにより、中間調、もしくは白表示時の視野角特性（カラーシフト）が改善された表示が行われる。
【００３８】
そして特に、本第１実施形態の表示装置１ａにおいては、画素電極１９の構成が、各電極部１９ａを屈曲させた部分において各電極部１９ａを接続する中央ブリッジ部１９ｂを備えている。これにより、電極部１９ａの屈曲部における電界形状が安定し、白表示時（ノーマリーブラック表示の場合）においての屈曲部における液晶分子ｍの配向状態を安定化させることができる。
【００３９】
このため上述した白表示において、表示装置１ａの表示面に外部圧力（指押し等）を加えてリバースツイスト現象を発生させた場合であっても、自然放置によって液晶層ＬＣを構成する液晶分子ｍの配向状態が、より安定な元の状態に戻り易くなる。したがって、リバースツイスト現象による表示ムラを、自然放置によって解消することが可能である。
【００４０】
下記表１には、本第１実施形態の構成と、図１１を用いて説明した従来の構成とで、指押しムラを評価した結果を示す。
【表１】
0004475303.tif 000002
【００４１】
ここでは、表示装置１ａの表面面を指押しし、指押しの圧力を開放してから指押しムラが自然放置にて解消するまでの時間を測定した。本第１実施形態の構成では画素電極１９に中央ブリッジ部１９ｂを設けているのに対して、図１１を用いて説明した従来の構成では画素電極に中央ブリッジ部が設けていない点のみが異なる。
【００４２】
上記表１に示すように、従来構成では自然放置で解消されない指押しムラが、画素電極１９に中央ブリッジ部１９ｂを設けた本第１実施形態の構成とすることにより、３秒程度で自然解消されることが確認された。
【００４３】
以上説明したように、第１実施形態の表示装置１ａによれば、横電界マルチドメイン構造の液晶表示装置１ａにおいて、リバースツイスト現象による表示ムラを自然放置で解消することが可能になり、表示特性の向上を図ることが可能になる。特に、タッチパネル機能を備えた液晶表示装置においては、表示装置の表示面に外部圧力（指押し等）が加わるため、本発明を適用することにより、外部圧力による影響が低く抑えられた表示を持続させることが可能になる。
【００４４】
＜第２実施形態＞
図３は第２実施形態の表示装置の構成を説明する３画素分の駆動基板側の平面模式図であり、要部Ａ１，Ａ２，Ａ３の拡大図を合わせて示した。ただし、第２実施形態の特徴部を説明するために、共通電極の図示を省略している。
【００４５】
この図に示す第２実施形態の表示装置１ｂが上述した第１実施形態の表示装置１ａと異なるところは、画素電極１９’の平面形状にあり、その他の構成は第１実施形態と同様である。
【００４６】
すなわち第２実施形態の画素電極１９’は、延設方向の略中央部で屈曲する複数の電極部１９ａと、屈曲部分において各電極部１９ａを接続する中央ブリッジ部１９ｂと、各電極部１９ａを延設方向の両端において接続する端縁ブリッジ部１９ｃを備えていることは、第１実施形態と同様である。
【００４７】
このような構成において、電極部１９ａと中央ブリッジ部１９ｂとは、これらの部分が略垂直を成して接続される平面形状に成型されている。つまり、中央ブリッジ部１９ｂの縁部と電極部１９ａの縁部とが、略垂直をなすように接続されているのである。
【００４８】
同様に、電極部１９ａと端縁ブリッジ部１９ｃとは、これらの部分が略垂直を成して接続される平面形状に成型されている。つまり、端縁ブリッジ部１９ｃの縁部と電極部１９ａの縁部とが、略垂直をなすように接続されているのである。
【００４９】
これにより、電極部１９ａと中央ブリッジ部１９ｃと端縁ブリッジ部１９ｂとで囲まれた画素電極１９の各空間部分Ｓ（抜きパターン）は、略矩形の平面形状で構成されていることになる。
【００５０】
このような構成の表示装置１ｂは、第１実施形態の表示装置と同様に、ＦＦＳマルチドメイン構造の液晶表示装置となり、第１実施形態の表示装置と同様に動作するものとなる。
【００５１】
このため上述した白表示において、表示装置１ｂの表示面に外部圧力（指押し等）を加えてリバースツイスト現象を発生させた場合であっても、自然放置によって液晶層ＬＣを構成する液晶分子ｍの配向状態が、安定な元の状態にさらに戻り易くなる。したがって、リバースツイスト現象による表示ムラを、自然放置によって解消することがさらに容易になる。
【００５２】
下記表２には、本第２実施形態の構成と、図１１を用いて説明した従来の構成とで、指押しムラを評価した結果を示す。
【表２】
0004475303.tif 000003
【００５３】
ここでは、表示装置１ｂの表面面を指押しし、指押しの圧力を開放してから指押しムラが自然放置にて解消するまでの時間を測定した。本第２実施形態の構成では画素電極１９’に中央ブリッジ部１９ｂを設けて空間部分Ｓを矩形としたのに対して、図１１を用いて説明した従来の構成では画素電極に中央ブリッジ部が設けておらず、端縁ブリッジ部が一定幅である。
【００５４】
上記表２に示すように、画素電極１９’に中央ブリッジ部１９ｂを設けて空間部Ｓを矩形とした本第２実施形態の構成とすることにより、従来構成では自然放置で解消されない指押しムラを３秒程度で完全に消失するレベルにまで改善することが可能であることが分かる。
【００５５】
以上により、本第２実施形態の構成によれば、第１実施形態と比較して、さらに外部圧力による影響を低く抑えた表示が可能になる。
【００５６】
＜第３実施形態＞
図４は第３実施形態の表示装置の構成を説明する３画素分の駆動基板側の平面模式図である。ただし、第３実施形態の特徴部を説明するために、共通電極の図示を省略している。
【００５７】
この図に示す第３実施形態の表示装置１ｃが上述した第２実施形態の表示装置１ｂと異なるところは、画素電極１９’の中央ブリッジ部１９ｂに重ねて遮光パターン５ａを設けたところにあり、その他の構成は第２実施形態と同様である。
【００５８】
すなわち、この遮光パターン５ａは、例えば走査線５と同一工程で形成されたものであり、走査線５と平行に配置されていることとする。また、遮光パターンは、駆動側の基板３上に設けられることに限定されず、対向基板側にブラックマトリックスとして設けられても良い。
【００５９】
このような第３実施形態の表示装置１ｃでは、中央ブリッジ部１９ｂに遮光パターンを重ねて配置することにより、コントラストの低下を防止することが可能になる。すなわち、中央ブリッジ部１９ｂ付近においては、電極部１９ａの延設方向に対して垂直な電界形状とはならない。このため、液晶分子ｍを正常に駆動することができず、表示コントラストが低下してしまうのである。したがって、中央ブリッジ部１９ｂに遮光パターンを重ねて配置することにより、中央ブリッジ部１９ｂが配置された部分を非透過領域とすることで、表示コントラストの低下を防止することが可能になるのである。
【００６０】
このような本第３実施形態は、第１実施形態と組み合わせても良く、同様の効果を得ることができる。
【００６１】
尚、上述した第１実施形態〜第３実施形態は、走査線５および信号線１１よりも上層に共通電極１５を配置した構成を説明した。しかしながら、本発明は、共通電極１５が、走査線５または信号線１１と同一層に設けられたＦＦＳマルチドメイン構造の表示装置にも適用が可能であり、同様の効果を得ることができる。
【００６２】
例えば、図５に示すように、共通電極１５は、走査線５と同一層に設けても良い。この場合、透明導電性材料からはる共通電極１５は、画素ａ内においてできるだけ広い範囲を覆う状態でパターニングされることとする。この場合、各画素ａ間における共通電極１５同士を接続する共通配線６は、より導電性の良好な材料を用いて走査線５と同一工程で形成しても良く、走査線５と平行に配線されることとする。
【００６３】
＜適用例＞
以上説明した本発明に係る表示装置は、図６〜図１０に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。以下に、本発明が適用される電子機器の一例について説明する。
【００６４】
図６は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。 
【００６５】
図７は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【００６６】
図８は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【００６７】
図９は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【００６８】
図１０は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【図面の簡単な説明】
【００６９】
【図１】第１実施形態の表示装置の構成を説明する平面模式図である。
【図２】第１実施形態の表示装置の構成を説明する断面図である。
【図３】第２実施形態の表示装置の構成を説明する平面模式図である。
【図４】第３実施形態の表示装置の構成を説明する平面模式図である。
【図５】本発明が適用される他の実施形態の断面図である。
【図６】本発明が適用されるテレビを示す斜視図である。
【図７】本発明が適用されるデジタルカメラを示す図であり、（Ａ）は表側から見た斜視図、（Ｂ）は裏側から見た斜視図である。
【図８】本発明が適用されるノート型パーソナルコンピュータを示す斜視図である。
【図９】本発明が適用されるビデオカメラを示す斜視図である。
【図１０】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【図１１】従来のＦＦＳモードの液晶表示装置の一例を示す要部平面図である。
【符号の説明】
【００７０】
１ａ，１ｂ，１ｃ…表示装置、５ａ…遮光パターン、３…基板、１５…共通電極、１９，１９’…画素電極、１９ａ…電極部、１９ｂ…中央ブリッジ部、１７…絶縁膜、１９ｃ…端縁ブリッジ部、ＬＣ…液晶層、Ｓ…空間部分
【図１】
0004475303.tif 000004
【図２】
0004475303.tif 000005
【図３】
0004475303.tif 000006
【図４】
0004475303.tif 000007
【図５】
0004475303.tif 000008
【図６】
0004475303.tif 000009
【図７】
0004475303.tif 000010
【図８】
0004475303.tif 000011
【図９】
0004475303.tif 000012
【図１０】
0004475303.tif 000013
【図１１】
0004475303.tif 000014